(57)【要約】【課題】封止部材と基板との気密性が高い有機ＥＬパネルを提供する。【解決手段】有機ＥＬパネル９は、基板１０と、基板１０に積層形成された少なくとも第一電極１３と発光層１５ａと第二電極１６とを有する積層体１１と、基板１０に接着剤Ｇによって接着される接着面１２ａを有する封止部材１２とを有する。第一電極１３は、表示セグメント部１８と、表示セグメント部１８と連なるリード部１９とを有する。少なくとも接着面１２ａとリード部１９が対向する領域では、基板１０と前記封止部材１２が、接着剤Ｇとリード部１９の間に設けられた接着中間層２１を介して接着される。【選択図】  図１
2004178932.tif 000002
【特許請求の範囲】
【請求項１】
基板と、前記基板に積層形成された少なくとも第一電極と発光層と第二電極とを有する積層体と、前記基板に接着剤によって接着される接着面を有する封止部材と、を有する有機ＥＬパネルであって、
少なくとも前記接着面と前記第一電極が対向する領域では、前記基板と前記封止部材が、前記接着剤と前記第一電極の間に設けられた接着中間層を介して接着されてなることを特徴とする有機ＥＬパネル。
【請求項２】
前記第一電極は、前記第二電極に電気的に導通するリード部を有することを特徴とする請求項１に記載の有機ＥＬパネル。
【請求項３】
基板と、前記基板に積層形成された少なくとも第一電極と発光層と第二電極とを有する積層体と、前記基板に接着剤によって接着される接着面を有する封止部材と、を有する有機ＥＬパネルであって、
前記第一電極は、表示セグメント部と、前記表示セグメント部と連なるリード部と、を有し、
少なくとも前記接着面と前記リード部が対向する領域では、前記基板と前記封止部材が、前記接着剤と前記リード部の間に設けられた接着中間層を介して接着されてなることを特徴とする有機ＥＬパネル。
【請求項４】
前記接着中間層は、酸化シリコンからなることを特徴とする請求項１または請求項３に記載の有機ＥＬパネル。
【発明の詳細な説明】
【０００１】
【発明の属する技術分野】
本発明は、有機ＥＬパネルに関するものであり、特に、基板に積層形成された少なくとも第一電極と発光層と第二電極とを有する積層体を保護する封止部材を基板に接着した有機ＥＬパネルに関するものである。
【０００２】
【従来の技術】
従来より、有機ＥＬパネルが種々提案されており、例えば特許文献１に開示されている。有機ＥＬパネル１は、ガラス基板２上に積層体３を形成したものであり、この積層体３は、第一電極４，絶縁層５，有機層６，第二電極７を有する（図６参照）。第一電極４は、酸化インジウム（Ｉｎ２Ｏ３）と酸化スズ（ＳｎＯ２）の混合物であるＩＴＯ（Ｉｎｄｉｕｍ  Ｔｉｎ  Ｏｘｉｄｅ）からなるものであり、第二電極７は、アルミニウム（Ａｌ）からなるものである。有機層６は正孔注入層，正孔輸送層，発光層及び電子輸送層からなるものであり、第一電極４と第二電極７に挟持されている。
【０００３】
【特許文献１】
特開２００１−２６７０６６号公報
【０００４】
第一電極４は、陰極リード部４ａ，陽極部４ｂ及び陽極リード部４ｃを有している。第二電極７は、陰極リード部４ａに一部重なるように形成されており、陰極リード部４ａと電気的に導通している。有機ＥＬパネル１は、陽極リード部４ｃ及び陰極リード部４ａに電源を接続することにより発光部Ｐが光輝する。有機層６に湿気が浸入することを防ぐため、積層体３は封止ガラス８によって覆われている。この封止ガラス８はガラス基板２に接着剤Ｇにより接着され、積層体８を覆う気密空間を形成している。
【０００５】
【発明が解決しようとする課題】
しかしながら、接着剤Ｇは、第一電極４の材料（即ち、ＩＴＯ）との密着性が低いため、陰極リード部４ａ及び陽極リード部４ｃの近傍から湿気が浸入して有機層６が劣化する、または、封止ガラス８がガラス基板２から剥離するという問題があった。
本発明は、この問題に鑑みなされたものであり、封止部材と基板との密着性が高い有機ＥＬパネルを提供するものである。
【０００６】
【課題を解決するための手段】
本発明は、前記課題を解決するため、請求項１に記載されたように、基板１０と、前記基板１０に積層形成された少なくとも第一電極１３と発光層１５ａと第二電極１６とを有する積層体１１と、前記基板１０に接着剤Ｇによって接着される接着面１２ａを有する封止部材１２と、を有する有機ＥＬパネル９であって、少なくとも前記接着面１２ａと前記第一電極１３が対向する領域では、前記基板１０と前記封止部材１２が、前記接着剤Ｇと前記第一電極１３の間に設けられた接着中間層２１を介して接着されてなるものである。
【０００７】
また、本発明は、請求項２に記載されたように、前記第一電極１３は、前記第二電極１６に電気的に導通するリード部２０を有することを特徴とする請求項１に記載の有機ＥＬパネル。
【０００８】
また、本発明は、請求項３に記載されたように、基板１０と、前記基板１０に積層形成された少なくとも第一電極１３と発光層１５ａと第二電極１６とを有する積層体１１と、前記基板１０に接着剤Ｇによって接着される接着面１２ａを有する封止部材１２と、を有する有機ＥＬパネル９であって、前記第一電極１３は、表示セグメント部１８と、前記表示セグメント部１８と連なるリード部１９と、を有し、少なくとも前記接着面１２ａと前記リード部１９が対向する領域では、前記基板１０と前記封止部材１２が、前記接着剤Ｇと前記リード部１９の間に設けられた接着中間層２１を介して接着されてなるものである。
【０００９】
また、本発明は、請求項４に記載されたように、前記接着中間層２１は、酸化シリコンからなるものである。
【００１０】
【発明の実施の形態】
以下、添付した図面に基づいて、本発明の一実施形態を説明する。有機ＥＬパネル９は、ガラス基板１０（基板），積層体１１，封止ガラス１２（封止部材）を有している。積層体１１は、ＩＴＯからなる第一電極１３，ポリイミド系のレジスト材料からなる絶縁層１４，有機層１５，アルミニウム等の金属からなる第二電極１６からなるものであり、ガラス基板１０の後面に積層形成されている。有機層１５は少なくとも発光層１５ａを有するものであるが、有機層１５に正孔注入層１５ｂ，正孔輸送層１５ｃ及び電子輸送層１５ｄを設けても良い（図４参照）。
【００１１】
図５に示すように、第一電極１３は、表示セグメント部１８と、表示セグメント部１８に連なる陽極リード部１９と、第二電極１６に電気的に導通する陰極リード部２０とを有している。表示セグメント部１８は日字形に配設されており、この表示セグメント部１８に各々陽極リード部１９が連設されている。陽極リード部１９はガラス基板１０の一辺側に引き回されている。
【００１２】
絶縁層１４は、発光セグメント２１に対応する箇所を除いて、ガラス基板１０の略全範囲に設けられている。Ｇは紫外線硬化型の接着剤であり、この接着剤Ｇによりガラス基板１０の後面と封止ガラス１２の接着面１２ａとが接着される。封止ガラス１２は、積層体１１を覆う気密空間を形成する凹部１２ｂと、接着剤Ｇが塗布される接着面１２ａとを有している。
【００１３】
第一電極１３の陽極リード部１９及び陰極リード部２０と、封止ガラス１２の接着面１２ａが対向する領域の近傍には、接着中間層２１が設けられている。接着中間層２１は、酸化シリコン（ＳｉＯ２）からなるものであり、スパッタ若しくは蒸着等の方法により、陽極リード部１９及び陰極リード部２０上に形成されている。接着中間層２１は、正面視では、細長い帯状となっている。
【００１４】
本実施形態によれば、陽極リード部１９及び陰極リード部２０と、接着剤Ｇとの間に接着中間層２１が介在しているため、封止ガラス１２とガラス基板１０の接着強度が高くなる。従って、封止ガラス１２と基板１０との密着性が向上し、封止ガラス１２が基板１０から剥離する虞がなく、且つ、気密空間内に水分が浸入する虞が少ない。
【００１５】
なお、本実施形態の接着中間層２１は、細長い帯状であったが、封止ガラス１２の接着面１２ａの全周に対応する枠状であっても良い。また、本実施形態は、セグメント型の有機ＥＬパネルであったが、本発明は、多数の画素を行列状に配設したマトリクス型の有機ＥＬパネルにも適用できる。
【００１６】
【発明の効果】
本発明は、基板と、前記基板に積層形成された少なくとも第一電極と発光層と第二電極とを有する積層体と、前記基板に接着剤によって接着される接着面を有する封止部材と、を有する有機ＥＬパネルであって、少なくとも前記接着面と前記第一電極が対向する領域では、前記基板と前記封止部材が、前記接着剤と前記第一電極の間に設けられた接着中間層を介して接着されてなるものであり、接着剤と第一電極の間に接着中間層を介在させ、封止部材と基板との密着度を向上させることによって、気密性を高くすることができる。
【００１７】
また、本発明は、基板と、前記基板に積層形成された少なくとも第一電極と発光層と第二電極とを有する積層体と、前記基板に接着剤によって接着される接着面を有する封止部材と、を有する有機ＥＬパネルであって、前記第一電極は、表示セグメント部と、前記表示セグメント部と連なるリード部と、を有し、少なくとも前記接着面と前記リード部が対向する領域では、前記基板と前記封止部材が、前記接着剤と前記リード部の間に設けられた接着中間層を介して接着されてなるものであり、接着剤とリード部の間に接着中間層を介在させ、封止部材と基板との密着度を向上させることによって、気密性を高くすることができる。
【図面の簡単な説明】
【図１】本発明の実施形態を示す要部断面図。
【図２】同上実施形態を示す断面図。
【図３】同上実施形態を示す正面図。
【図４】同上実施形態を示す有機層の拡大断面図。
【図５】同上実施形態を示す分解斜視図。
【図６】従来例を示す断面図。
【符号の説明】
９    有機ＥＬパネル
１０    ガラス基板（基板）
１１    積層体
１２    封止ガラス（封止部材）
１２ａ  接着面
１３    第一電極
１５    有機層
１６    第二電極
１８    表示セグメント部
１９    陽極リード部（リード部）
２０    陰極リード部（リード部）
２１    接着中間層
【図１】
2004178932.tif 000003
【図２】
2004178932.tif 000004
【図３】
2004178932.tif 000005
【図４】
2004178932.tif 000006
【図５】
2004178932.tif 000007
【図６】
2004178932.tif 000008